(57)【要約】【課題】本発明は、音声案内の有り／無しを切り替える専用の音声案内スイッチを設け、音声案内をするか／しないかを使用者の意思に従った音声案内スイッチの操作により、音声案内有り／無しの切り替えを実現すること。【解決手段】音声案内スイッチ１の操作を、スイッチ操作判定手段３により判断し、オン／オフ操作結果を受け、スイッチ操作判定手段３の操作結果や運転状態監視手段４の運転状態の変化による音声出力手段５の音声案内を行う／行わないを切り替えることを実現できる音声案内機能付きリモコン装置となる。【選択図】図１
2006105506.tif 000002
【特許請求の範囲】
【請求項１】
機器本体の運転状態を監視し、運転状態が変化したことを検出する運転状態監視手段と、リモコンのスイッチ操作を判定するスイッチ操作判定手段の判定結果と、前記運転状態監視手段の監視結果をもとに所定の音声出力を行う音声出力手段と、専用に設けた音声案内を行うか行わないかを切り替える音声案内スイッチとを設けた音声案内機能付きリモコン装置。
【請求項２】
音声案内あり／なし設定状態を表示する設定表示手段を設け、前記音声案内スイッチを入り操作した場合、音声案内あり状態を前記設定表示手段に常時表示し、切り操作で消灯する請求項１に記載の音声案内機能付きリモコン装置。
【請求項３】
運転状態監視手段において、音声案内を行わない状態から行う状態に切り替わった時点で、現在の運転状態を現在状態報知指示を行う機能を備え、音声案内スイッチを入り操作した場合、現在の運転状態を音声で案内し、以降の操作や動作に対して音声案内を開始する請求項１に記載の音声案内機能付きリモコン装置。
【請求項４】
運転状態監視手段において、機器本体の運転待機状態を検出し、音声案内スイッチが入り状態であれば、待機状態であることを音声で案内する請求項１に記載の音声案内機能付きリモコン装置。
【請求項５】
運転状態監視手段において、機器本体の運転待機状態の解除を検出し、音声案内スイッチが入り状態であれば、待機状態が解除されたことを音声で案内する請求項１に記載の音声案内機能付きリモコン装置。
【発明の詳細な説明】
【技術分野】
【０００１】
本発明は、ガスや石油等を燃料とする給湯器や電気温水器の遠隔操作に使用するリモコン装置の操作や動作に応じた音声案内方法とその装置に関するものである。
【背景技術】
【０００２】
従来のこの種の音声案内機能付きリモコン装置は、高度な制御を行うため、給湯のための機器操作や初期設定等が複雑化する傾向があり、また、使用者が、操作方法が分からないため、自分の操作ミスであることを知らずに給湯器の故障と判断してしまう可能性もあり、複雑化した機器の動作をより簡単に操作できるよう改善するため、給湯動作や動作状態への対処を言語音声によって告知することで実現している（例えば、特許文献１参照）。
【特許文献１】特開２０００−１４６２９３号公報（図１）
【発明の開示】
【発明が解決しようとする課題】
【０００３】
しかしながら上記従来の音声案内機能付きリモコン装置は、操作や動作に応じて必ず音声案内を行うものであり、使用者が毎日繰り返す操作（例えば、お湯はり運転など使い慣れた操作）や動作には音声案内は不要だが、例えば、お湯はり運転の沸き上り状態だけは音声案内が欲しいという要望や、複雑な操作が必要で普段は使用しない機能を操作しようとするときは音声案内が欲しいという要望には応えられないという課題を有していた。
【０００４】
また、お湯はり運転や水はり運転において、蛇口を開いてシャワーを使用した場合、シャワー使用を優先しお湯はり運転を待機する動作がある。この場合、お湯はり運転や水はり運転が待機中であることが使用者には伝わらず、待機動作が割り込んだお湯はり運転であったとしても、沸き上りが遅いというクレームになる可能性があるという課題を有していた。
【０００５】
本発明は上記課題を解決するもので、音声案内の有り／無しを切り替える専用の音声案内スイッチを設け、使用者の意思に従って、音声案内を必要とする場合は、音声案内スイッチを入り操作して音声案内あり設定とし、音声案内が不要な場合は音声案内スイッチを切り操作し、音声案内なし設定に切り替えることができる音声案内機能付きリモコン装置を提供することを目的とする。
【課題を解決するための手段】
【０００６】
前記従来の課題を解決するために、本発明の音声案内機能付きリモコン装置は、所定のスイッチ操作の入り切りを認識するスイッチ操作判定手段と、機器本体の運転状態を監視し、運転状態が変化したことを検出する運転状態監視手段と、前記スイッチ操作判定手段の判定結果と、前記運転状態監視手段の監視結果をもとに所定の音声出力を行う音声出力手段と、専用に設けた音声案内を行うか行わないかを切り替える音声案内スイッチを備えたものである。
【０００７】
これによって、音声案内スイッチを操作して、使用者音声案内の有りと無しを適宜切り替えることが可能となる。
【発明の効果】
【０００８】
本発明の音声案内機能付きリモコン装置は、使用者の意思に従い、音声案内スイッチを切り状態では音声案内をなし設定とし、必要に応じて音声案内スイッチを入り状態で音声案内を有り設定に切替えた以降は、動作に応じて音声案内を行うため、動作の進行状況や状態を音声として認識することができ、使い勝手を向上することができる。
【発明を実施するための最良の形態】
【０００９】
第１の発明は、機器本体の運転状態を監視し、運転状態が変化したことを検出する運転状態監視手段と、リモコンのスイッチ操作を判定するスイッチ操作判定手段の判定結果と、運転状態監視手段の監視結果をもとに所定の音声出力を行う音声出力手段と、専用に設けた音声案内を行うか行わないかを切り替える音声案内スイッチとを設け、専用の音声案内スイッチを入り操作することにより、音声案内有りとなり、以降は操作や動作に応じて音声案内を行うことができる。
【００１０】
第２の発明は、音声案内あり／なし設定状態を表示する設定表示手段を設けることにより、音声案内スイッチを入り操作した場合、音声案内あり状態を設定表示手段に常時表示し、切り操作で消灯するので、音声案内有り／無し状態が見ただけで判別することができる。
【００１１】
第３の発明は、運転状態監視手段が、音声案内スイッチの操作を受け、音声案内を行わない状態から行う状態に切り替わった時点で、現在状態の報知指示を行うことにより、現在の運転状態や以降の運転状態の変化を音声で案内することができる。
【００１２】
第４の発明は、運転状態監視手段を設けることにより、機器本体の運転待機状態を検出し、音声案内スイッチが入り状態であれば、運転状態が待機状態であることを音声で案内することができる。
【００１３】
第５の発明は、運転状態監視手段を設けることにより、機器本体の運転待機状態の解除を検出し、音声案内スイッチが入り状態であれば、待機状態が解除されたことを音声で案内することができる。
【００１４】
以下、本発明の実施形態について、図面を参照しながら説明する。
【００１５】
なお、本実施の形態によって、本発明が限定されるものではない。
【００１６】
（実施の形態１）
図１は本発明の第１の実施の形態における音声案内機能付きリモコン装置のブロック図である。
【００１７】
図１において、１は専用に設けた音声案内を行うか行わないかを切り替える音声案内スイッチ、２は例えば運転スイッチ等のスイッチから構成されるスイッチ手段、３は音声案内スイッチ１やスイッチ手段２のオン／オフ操作を判断するスイッチ操作判定手段、４は機器本体の運転状態を監視し、運転状態が変化したことを検出する運転状態監視手段、５はスイッチ操作判定手段３の判定結果と運転状態監視手段４の監視結果に応じた所定の音声出力を行う音声出力手段である。２０はリモコン、２１は機器本体である。
【００１８】
以上のように構成された音声案内機能付きリモコン装置について、以下その動作、作用を説明する。
【００１９】
音声案内スイッチ１を入り操作することにより、音声案内有りとなり、運転状態監視手段４は、機器本体２１の運転状態を監視し、運転状態が変化したことを検出すると、音声出力手段５より音声案内を行う。
【００２０】
よって、音声案内機能付きリモコン装置は、使用者の意思に従い、音声案内スイッチを切り状態では音声案内をなし設定とし、必要に応じて音声案内スイッチを入り状態で音声案内を有り設定に切替えた以降は、動作に応じて音声案内を行うため、動作の進行状況や状態を音声として認識することができ、使い勝手を向上することができる。
【００２１】
（実施の形態２）
図２は、本発明の第２の実施の形態における音声案内機能付きリモコン装置のブロック図である。
【００２２】
図１との相違点のみ説明する。
【００２３】
図２において、６はスイッチ操作判定手段３によって判断した音声案内スイッチ１のオン／オフ操作の判断結果を受けて、音声案内を行うか／行わないかの設定結果を表示する設定表示手段である。
【００２４】
音声案内あり／なし設定状態を表示する設定表示手段６を設けることにより、音声案内スイッチを入り操作した場合、音声案内あり状態を設定表示手段に常時表示し、切り操作で消灯するので、音声案内有り／無し状態が見ただけで判別することができる。
【００２５】
（実施の形態３）
図３は、本発明の第３の実施の形態における音声案内機能付きリモコン装置のブロック図である。
【００２６】
図１との相違点のみ説明する。
【００２７】
図３において、７は機器本体の運転状態を監視し、運転状態が変化したことを検出する機能に加え、スイッチ操作判定手段３によって判断した音声案内スイッチ１のオン／オフ操作の判断結果を受けて、音声案内を行わない状態から行う状態に切り替わった時点で、現在状態報知指示８を作成する運転状態監視手段である。
【００２８】
運転状態監視手段７が、音声案内スイッチ１の操作を受け、音声案内を行わない状態から行う状態に切り替わった時点で、現在状態の報知指示を行うことにより、現在の運転状態や以降の運転状態の変化を音声で案内することができる。
【００２９】
（実施の形態４）
図４は、本発明の第４の実施の形態における音声案内機能付きリモコン装置のブロック図である。
【００３０】
図１との相違点のみ説明する。
【００３１】
図４において、９は機器本体の運転状態を監視し、運転状態が変化したことを検出する機能に加え、運転状態が動作状態から待機状態変化したことを検出するを備えた運転状態監視手段である。
【００３２】
運転待機開始判定１０を設けることにより、機器本体２１の運転待機状態を検出し、音声案内スイッチ１が入り状態であれば、運転状態が待機状態であることを音声で案内することができる。
【００３３】
（実施の形態５）
図５は、本発明の第３の実施の形態における音声案内機能付きリモコン装置のブロック図である。
【００３４】
図１との相違点のみ説明する。
【００３５】
図５において、１１は機器本体の運転状態を監視し、運転状態が変化したことを検出する機能に加え、運転状態が待機状態から動作状態変化したことを検出するを備えた運転状態監視手段である。
【００３６】
待機解除判定１２を設けることにより、機器本体２１の運転待機状態の解除を検出し、音声案内スイッチ１が入り状態であれば、待機状態が解除されたことを音声で案内することができる。
【産業上の利用可能性】
【００３７】
以上のように、本発明にかかる音声案内機能付きリモコン装置は、使用者の意思に応じて適宜音声案内の有り／無しの切替えが可能となるので、一般家電製品の音声案内等の用途にも適用できる。
【図面の簡単な説明】
【００３８】
【図１】本発明の実施の形態１における音声案内機能付きリモコン装置のブロック図
【図２】本発明の実施の形態２における音声案内機能付きリモコン装置のブロック図
【図３】本発明の実施の形態３における音声案内機能付きリモコン装置のブロック図
【図４】本発明の実施の形態４における音声案内機能付きリモコン装置のブロック図
【図５】本発明の実施の形態５における音声案内機能付きリモコン装置のブロック図
【図６】従来の音声案内機能付きリモコン装置のブロック図
【符号の説明】
【００３９】
１  音声案内スイッチ
２  スイッチ手段
３  スイッチ操作判定手段
４、７、８、１１  運転状態監視手段
５  音声出力手段
６  設定表示手段
８  現在状態報知指示
１０  運転待機開始判定
１２  待機解除判定
【図１】
2006105506.tif 000003
【図２】
2006105506.tif 000004
【図３】
2006105506.tif 000005
【図４】
2006105506.tif 000006
【図５】
2006105506.tif 000007
【図６】
2006105506.tif 000008